(57)【要約】【課題】平地歩行時・登高時および下降時に併用でき、身体の疲労を軽減するストックを提供する。【解決手段】Ｔ字型ストックにおいて、握りとシャフトを斜交させ、握りは前後を入れ替えて使用できるような形状にして、握りの前後を使い分けて登高・下降の使用状況に対応できるようにする。また、握りとシャフトの斜交取付近傍ではシャフトの断面の握り方向の寸法を小さくして、指間の挟持量を少なくすることにより、使用時の違和感を軽減し、使用感の良いストックとする。【選択図】    図１
2007259992.tif 000002
【特許請求の範囲】
【請求項１】
シャフトと握りが交差して取り付けられているストックにおいて、該取付位置が握りの長さ方向の中央からはずれた位置にあり、交差して取り付けられている角のうちの鋭角が８５度以下５５度以上である、ことを特徴とするストック
【請求項２】
請求項１記載のストックのシャフトと握りとの取付位置近傍において、シャフトの握りの軸方向の断面寸法を、シャフト本体の該方向の断面寸法より小さくしたこと、を特徴とするストック
【発明の詳細な説明】
【技術分野】
【０００１】
登高および下降に特に至便な杖に関する。
【背景技術】
【０００２】
従来、身体を支えるために使用されるストックは、直棒状の物、即ちグリップ（以下「握り」という。）が直棒条のシャフト（以下単に「シャフト」という。）の一端に被覆状態に設けられているのが大半であり、その他の型式のものとしては、少数派ではあるが、握りがシャフトとＴ字状に直交しているもの（以下「直交Ｔ字型ストック」という。）がある。
【０００３】
直交Ｔ字型ストックは、医療・介護用、登山用等に用いられている。
直交Ｔ字型ストックで登山用のものは図１５に示すようなものが多く、シャフトを握りの中央から親指側に寄ったところに設けたものが多い。
また、直交Ｔ字型ストックで医療・介護用ストックは、従来は握りの中央部にシャフトを直交させたもの（図示省略）が多かったが、近年では登山用のストックと同様の構成のものが多くなった。
これら、シャフトを握りの中央から親指側に寄ったところに設けたストックは、通常、シャフトを親指と中指の間に挟持し、握りの親指側は、親指と人差指で握るか（図７）あるいは親指で握って人差指をシャフトに副えるかし、握りの小指側は、中指・薬指と小指の３指で握るようになっている（図７）。
【０００４】
ところで、登山の場合は、登高時と下山時とでは、ストックの用い方が大きく異なっている。
即ち、登高時はストックを足元近くに突いて主として揚荷に役立たせるものであることから、当然にシャフトは短めとなりかつシャフト・手首に大きな荷重がかかる。
一方、下山時には、ストックを足元より遠くに突いて主として身体のバランスを保持するためにストックは使用され、登高時よりはシャフトは長くなりかつシャフトに掛かる荷重は登高時よりは小さいという特徴がある。
【０００５】
しかしながら、従来の直交Ｔ字型ストックでは、腕・手首にかかる負荷（荷重）は、
登高時・下降時のいずれにおいても、相当大きなものとなっていた（図６・図７・図１２・図１３）。
【０００６】
【特許文献１】特許電子図書館の公報テキスト検索（公開特許公報）で、以下の条件で検索したが、該当すると思料できるものはありません。                                        「要約と請求の範囲」  「ストック  杖  ステッキ」                    ＡＮＤ  「要約と請求の範囲」  「グリップ  握」                              ＡＮＤ  「要約と請求の範囲」  「斜  交」                                              発見された件数は、８９件
【発明の開示】
【発明が解決しようとする課題】
【０００７】
本願発明は、登高時および下降時の相違を考慮したストックであって、平地歩行時・登高時および下降時に併用でき、身体の疲労を軽減するストックを提供することにある。
【課題を解決するための手段】
【０００８】
本願発明は、ストックにおいて、握りとシャフトを斜交させた（以下「斜交Ｔ字型ストック」という。）ことにより、登高時と下降時とで握りの前後を入れ替えて使用できるようにした。
【０００９】
また、一つの使い方ではシャフトを薬指と小指で挟持することになることから、シャフトと握りとの取付位置近傍において、シャフトの握りの軸方向の断面寸法を、シャフト本体の該方向の断面寸法より小さくし、シャフトを握りやすく、また握った際の違和感を軽減した。
【発明の効果】
【００１０】
握りとシャフトを斜交させ、握りは前後を入れ替えて使用できるような形状にしたことから、握りの前後を使い分けて登高・下降の使用状況に応じて的確に対応できる。
【００１１】
【表１】
2007259992.tif 000003
【００１２】
腕・手首に掛かる負荷の大小は、腕・手首に掛かる軸力の大小よりもモーメントの大小に大きく影響されると考えられ、一方、ストック使用時に働くストックの軸方向の力は同一と考えられることから、結局腕・手首に掛かる負荷の大小は、腕・手首に掛かるモーメントにおける距離（例：図２におけるＹ、図３におけるＸ、表１における対比値としてのＹｃ・Ｘｃ）の大小に依存することとなる。
ここに、Ｘは、図３等に示すように、シャフトの軸力と手関節の回転中心との距離を意味し、Ｙは、図２等に示すように、シャフトの軸力と肩関節の回転中心との距離を意味する。
また、対比値ＸｃおよびＹｃは直交Ｔ字型ストックのＸおよびＹを １ とした時の値を示す。なお、身体にとっては、手首に掛かるモーメントにおける距離Ｘの方が、腕に掛かるモーメントにおける距離Ｙよりも、負担が特に大きい。
【００１３】
表１の対比値（Ｘｃ、Ｙｃ）に示すように、握りの小指側を中指・薬指と小指の３指で握る場合（以下「前握り」という。例：図２・図３）も、握りの小指側を小指だけで握る場合（以下「後握り」という。例：図４・図５）も、登高時には腕・手首に掛かるモーメントを従来の直交Ｔ字型ストック（Ｘｃ＝1.00、Ｙｃ＝1.00）に比べ極めて小さくできる。
【００１４】
同様に（表１）、下降時にも、後握りの場合のＹｃ（図１０）を除き、腕・手首に掛かるモーメントを従来の直交Ｔ字型ストック（Ｘｃ＝1.00、Ｙｃ＝1.00）に比べ極めて小さくできる（図８・図９・図１１）。
また、図１０におけるＹｃは 1.15 と増加量は僅かであり、一方Ｘｃは 0.33 と極めて小さな値であり、体にとって手首に掛かるモーメントの方（Ｘ相当）が、腕に掛かるモーメント（Ｙ相当）よりも負担としては大きく知覚されることから、下降時にも登高時にくらべ遜色ない効果が期待できる。
【００１５】
また、握りとシャフトの斜交取付近傍では、シャフトの握りの軸方向の断面寸法を、シャフト本体の該方向の断面寸法より小さくした（図１）ことから、指間の挟持量が少なくなり、握りを握った際の違和感が極めて少ない。
【００１６】
さらに、ストックと握りが斜交している分、従来の直交Ｔ字型ストックに比べ、シャフトからのはみ出しが少ないため、収納し易い。
【００１７】
また、一本の杖で、登高用および下降用として併用でき、共に身体に掛かる負担を軽減できる。
【００１８】
本願発明は、登山の場合のみならず、市中でも平地歩行のみならず上がり降りの必要なときに使用できる。
【発明を実施するための最良の形態】
【００１９】
実施例を説明する前に、斜交Ｔ字型ストックと直交Ｔ字型ストックの力学的な説明に不可欠な手首の動きについて、以下、図１４に示す実測例の数値を使って説明する。
図１４は、手を垂直にした場合、手首はどの程度傾けることができるかを示す実測例である。
手首を通常の状態にした場合は、握った棒の角度（以下「手首角」という。）は水平線から２１°下向き（図示中で反時計回り）に傾き、手首を上方（図示中で時計回り）に傾けると、その傾けることができる角度は２２°で手首角は水平線から１°上向きに傾き、手首を下方に傾けると、その傾けることができる角度は４３°で手首角は水平線から６４°下向きに傾くことを示している。
即ち、手首を上方に傾けるよりも、手首を下方に傾ける方が、約２倍の許容範囲があり、手首を下方に傾ける場合は傾け易く、従って手首への負担が少ないことが判る。
また、直交Ｔ字型ストックでは、手を垂直にした場合、手首を通常の状態にした時は、ストック先端（石突）は後方２１°の方向に向き、手首を上方に傾けても、ストック先端（石突）を１°しか前方に繰出すことができず、従って歩行時にストックを前方に突くためには腕・手をかなり前方に振り出さなければならないことが判る。
【００２０】
図１は、斜交Ｔ字型ストック１０における握り１１とシャフト１２の斜交する部分を表わす図であり、握りは前後を入れ替えて把持（前握り・後握り）されることから、握り部分の殆どの部分は、握りの前後で対称の形状が通常使用される。
なお、図１５は握りとシャフトとが直交する従来の直交Ｔ字型ストックを表わす図である。
【００２１】
図１に示す挟角αは、８５度以下５５度以上で、登高する山の斜度にもよるが、通常は７０度前後が多用される。
【００２２】
握り１１とシャフト１２の斜交取付近傍では、シャフトの握りの軸方向の断面寸法を、シャフト本体の該方向の断面寸法より小さくして、指間の挟持量を少なくしている（図１）。この結果、この部分の断面形状は長円形または楕円形となる場合が多い（図示省略）。
また、この斜交取付近傍では、強度上、一般に握りはシャフトの一部を成すように一体に成型加工されたものが使われ、シャフトと嵌合されて一体化される（図１）。このため握りの素材には高強化プラスティックや軽金属、例えばアルミ素材、が使われ、通常はアルミダイキャストにより製作され、握り部分はプラスティック材や合成皮革等で被覆される。
【００２３】
図２〜図５は斜交Ｔ字型ストック１０の登高時の使用状況を示す図であり、図８〜図１１は斜交Ｔ字型ストックの下降時の使用状況を示す図である。
なお、従来の直交Ｔ字型ストック（図１５）については、図６・図７で登高時の、図１２・図１３で下降時のストックの使用状況を示している。
これらの図から、前握りの場合（図２・図３・図８・図９）は、斜交Ｔ字型ストックは直交Ｔ字型ストックに比べ、前方に手・腕を繰り出す量が少なくなるため、Ｙ（Ｙｃ）は小さくなり、同様にＸ（Ｘｃ）も小さな値となっている。
後握りの場合（図４・図５・図１０・図１１）は、斜交Ｔ字型ストックは直交Ｔ字型ストックに比べ、下降時（図１０・図１２）は手・腕を繰り出す量がやや大きくなるため、Ｙ（Ｙｃ）はやや大きくなるが、この場合でも後握りの効果からＸ（Ｘｃ）は極めて小さな値となっていて、斜交された効果が歴然と現われている。
【００２４】
本願発明にかかるストックは、一般的には前述の登高・下降時の事情から、登高時には後握りが推奨され（表１、図４・図５）、下降時には前握りが推奨される（表１、図８・図９）。
【産業上の利用可能性】
【００２５】
本願発明は、身体の基本的な動作の一である歩行に供する品に関するものであり、健康産業・医療産業に資することすこぶる大なるものであって、産業上の利用可能性は極めて高いものである。
【００２６】
また、平地歩行のみならず、特に登高時・下降時に併用できるものであり、近年中高年者に愛好されている登山に至便なものであることから、健康増進に役立ち産業上の利用可能性は極めて高いものである。
【図面の簡単な説明】
【００２７】
【図１】斜交Ｔ字型ストックの握りとストックの取付部分を示す正面図である。
【図２】前握りの状態で斜交Ｔ字型ストックを登高時に使用した状況を示す正面図である。
【図３】前握りの状態で斜交Ｔ字型ストックを登高時に使用した状況における手首・手の部分を示す正面図である。
【図４】後握りの状態で斜交Ｔ字型ストックを登高時に使用した状況を示す正面図である。
【図５】後握りの状態で斜交Ｔ字型ストックを登高時に使用した状況における手首・手の部分を示す正面図である。
【図６】直交Ｔ字型ストックを登高時に使用した状況を示す正面図である。
【図７】直交Ｔ字型ストックを登高時に使用した状況における手首・手の部分を示す正面図である。
【図８】前握りの状態で斜交Ｔ字型ストックを下降時に使用した状況を示す正面図である。
【図９】前握りの状態で斜交Ｔ字型ストックを下降時に使用した状況における手首・手の部分を示す正面図である。
【図１０】後握りの状態で斜交Ｔ字型ストックを下降時に使用した状況を示す正面図である。
【図１１】後握りの状態で斜交Ｔ字型ストックを下降時に使用した状況における手首・手の部分を示す正面図である。
【図１２】直交Ｔ字型ストックを下降時に使用した状況を示す正面図である。
【図１３】直交Ｔ字型ストックを下降時に使用した状況における手首・手の部分を示す正面図である。
【図１４】手首の動きを示す正面図である。
【図１５】直交Ｔ字型ストックを示す正面図である。
【符号の説明】
【００２８】
１０        斜交Ｔ字型ストック
１１        握り
１２        シャフト（一部）
【図１】
2007259992.tif 000004
【図２】
2007259992.tif 000005
【図３】
2007259992.tif 000006
【図４】
2007259992.tif 000007
【図５】
2007259992.tif 000008
【図６】
2007259992.tif 000009
【図７】
2007259992.tif 000010
【図８】
2007259992.tif 000011
【図９】
2007259992.tif 000012
【図１０】
2007259992.tif 000013
【図１１】
2007259992.tif 000014
【図１２】
2007259992.tif 000015
【図１３】
2007259992.tif 000016
【図１４】
2007259992.tif 000017
【図１５】
2007259992.tif 000018